(57)【要約】      （修正有）【課題】導電端子の高さを調節でき、且つ高周波の信号の伝送性能が改善された電気コネクタを提供する。【解決手段】絶縁本体と、該絶縁ハウジング２内に装着される複数の導電端子３とを含む。前記導電端子はお互いに離れた第１部材３０と第２部材３２を備え、前記第１部材が、延伸して形成された弾性アーム３０４と第１接触アーム３０６とを備える主体部３００を含み、前記第２部材が、前記第１部材の弾性アームに接続できる基部３２０と第２接触アーム３２２とを含む。導電端子に側壁３０２が設置されることにより、導電端子の静電容量が高められ且つインピーダンスが減少することで、高周波の信号の伝送効果が保証され、お互いに離れる第1部材及び第２部材により、可動範囲の所定の位置で導電端子の高さを調節してもいい。【選択図】図３
0003108315.tif 000002
【実用新案登録請求の範囲】
【請求項１】
第１面と、該第１面に相対した第２面と、第１面及び第２面とを貫設した複数の収容孔とを含む絶縁ハウジングと、
前記絶縁ハウジングの収容孔内に装着され、お互いに離れた第１部材と第２部材を備える導電端子と
を含み、前記第１部材が、延伸して形成された弾性アームと回路基板に接続された第１接触アームとを備える主体部を含み、前記第２部材が、前記第１部材の弾性アームに接続できる基部とチップモジュールに接続できる第２接触アームとを含むことを特徴とするチップモジュールと回路基板とを電気的に接続する電気コネクタ。
【請求項２】
前記導電端子の第１部材の主体部は平板状の側壁を備え、前記弾性アームが該側壁から延伸され、導電端子の第２部材の基部に接触できる押圧部が形成されることを特徴とする請求項１記載の電気コネクタ。
【請求項３】
前記導電端子の第１部材の主体部は相対した一対の平板状の側壁を備え、前記弾性アームがその中の一側壁から延伸され、導電端子の第２部材の基部に接触できる押圧部が形成されることを特徴とする請求項１記載の電気コネクタ。
【請求項４】
前記導電端子の第１部材の主体部の高さを調節することを通じて、導電端子の高周波の電気的な特性を調節できることを特徴とする請求項２或いは３記載の電気コネクタ。
【請求項５】
前記導電端子の第１部材の主体部には、前記絶縁ハウジングの収容孔の延伸した方向に、絶縁ハウジングの第１面に面した第１辺縁及び絶縁ハウジングの第２面に面した第２辺縁が形成されることを特徴とする請求項４記載の電気コネクタ。
【請求項６】
前記導電端子の第１接触アームは、前記第１辺縁から主体部を離れる方向に向けて曲げ延伸して、第１接触部が設けられることを特徴とする請求項５記載の電気コネクタ。
【請求項７】
前記導電端子の第２部材の基部は平板状を呈し、前記第２接触アームが該基部の前記第１部材の第１辺縁を離れる一端から前記主体部に面し外に向けて延伸して形成され、該第２接触アームに第２接触部が設けられることを特徴とする請求項６記載の電気コネクタ。
【請求項８】
前記導電端子の第２部材の基部には、前記第２接触部と連接している箇所に両肩部が形成され、前記基部の第２接触部と連接している一端を離れる他端に該基部の幅より小さい延伸部が延出され、該肩部及び延伸部が前記絶縁ハウジングの収容孔に係合されることを特徴とする請求項７記載の電気コネクタ。
【請求項９】
前記導電端子の第１部材の側壁に該側壁から垂直に延伸した連接部が形成され、前記弾性アームが該連接部の下端から前記主体部の第１辺縁に向けて主体部を離れた方向に傾け延伸されることを特徴とする請求項５記載の電気コネクタ。
【請求項１０】
前記弾性アームの自由末端に、前記第１部材の基部に接触し、前記主体部に向けて曲がった弧状の押圧部が形成されることを特徴とする請求項９記載の電気コネクタ。
【請求項１１】
お互いに離れる第１部材と第２部材とを含み、前記第１部材は少なくとも一つの平板状の側壁を備える主体部を含み、該側壁に前記第２部材に向けて延伸した弾性アームが形成され、前記主体部に第１接触部が設けられた第１接触アームが延伸して形成され、前記第２部材は、前記第１部材の弾性アームに接触する基部と、該基部から延伸し第２接触部が形成される第２接触アームとを備えることを特徴とする電気コネクタの導電端子。
【請求項１２】
前記第１部材の主体部の高さを調節することを通じて、導電端子の高周波の電気的な特性を調節できることを特徴とする請求項１１記載の電気コネクタの導電端子。
【請求項１３】
前記第１部材の弾性アームに前記第２部材の基部に接触する押圧部が形成されていることを特徴とする請求項１１記載の電気コネクタの導電端子。
【請求項１４】
前記第１部材の主体部は相対した一対の平板状の側壁を備え、前記弾性アームがその中の一側壁から延伸され、前記第２部材の基部に接触できる押圧部が形成されることを特徴とする請求項１１記載の電気コネクタの導電端子。
【請求項１５】
前記第２部材の基部は平板状を呈し、前記第２接触アームが該基部の前記第１部材の第１接触アームが設けられる主体部の端縁を離れる一端から前記主体部に面し外に向けて延伸して形成されることを特徴とする請求項１１記載の電気コネクタの導電端子。
【請求項１６】
前記第２部材の基部は前記第２接触部と連接している箇所に両肩部が形成され、前記基部の第２接触部と連接している一端を離れる他端に該基部の幅より小さい延伸部が延出されることを特徴とする請求項１５記載の電気コネクタの導電端子。
【請求項１７】
前記第１部材の側壁に該側壁から垂直に延伸した連接部が形成され、前記弾性アームが該連接部の下端から前記主体部の第１接触アームが設けられる一端に向けて傾け延伸されることを特徴とする請求項１６記載の電気コネクタの導電端子。
【請求項１８】
前記弾性アームの自由末端に、前記第１部材の基部に接触し、前記主体部に向けて曲がった弧状の押圧部が形成されることを特徴とする請求項１７記載の電気コネクタの導電端子。
【考案の詳細な説明】
【技術分野】
【０００１】
本考案は、電気コネクタに関し、特にチップモジュールと回路基板とを電気的に接続できる電気コネクタに関するものである。
【背景技術】
【０００２】
従来のチップモジュールと回路基板とを電気的に接続できる電気コネクタは、基本的に、絶縁ハウジングと、該絶縁ハウジングの中央の導電区に装着される導電端子とを含み、前記導電端子が一般に優れた弾性を有し且つ前記絶縁ハウジングの外側に延出している。前記導電端子がチップモジュールと回路基板とを電気的に接続する時に、該電気コネクタに押圧力を加えることにより、前記絶縁ハウジング内に装着された導電端子が弾性変形させられ、該導電端子の弾性変形により生じた弾性力により、前記チップモジュール及び回路基板の対応した導電パッドが押圧され、こうして、チップモジュールと回路基板との電気的に安定した接続を達成できる。
【０００３】
図１及び図２に示すように、従来の電気コネクタ６は、絶縁ハウジング６０と該絶縁ハウジング６０内に装着された複数の導電端子６２とを含む。該導電端子６２は、主体部６２０と、該主体部６２０の両端部にそれぞれ設置される第１弾性アーム６２２及び第２弾性アーム６２４と、該第１弾性アーム６２２の末端に設けられる第１接触部６２２０と、第２弾性アーム６２４の末端に設けられる第２接触部６２４０とを備える。
【０００４】
電気コネクタ６がチップモジュール７と回路基板８とを電気的に接続する時、前記第１弾性アーム６２２及び第２弾性アーム６２４が、チップモジュール７及び回路基板８に加えられた押圧力を受けると、弾性変形して弾性力を生じる。該弾性力により、前記第１接触部６２２０及び第２接触部６２４０は前記チップモジュール７の導電パッド７０及び回路基板８の導電パッド８０をそれぞれ押圧して、こうして、導電端子６２によりチップモジュール７と回路基板８との電気的に安定した接続を達成させる。
【０００５】
しかしながら、該従来の電気コネクタ６の導電端子６２の高さの寸法が所定の規格で変更できないことから、高周波の電気特性の設計において調整空間が小さくなり、いろいろな場合の要求に適応できず、且つ、電流の経由するルートが長くなり、さらに総合的なインピーダンスが大きくなることで、導電端子６２の生じる熱量が大きくなり、こうして、高周波の信号を伝送する時、インピーダンスが大きくなることで、生じた大きい熱量は、該電気コネクタ６が前記チップモジュール７と回路基板８とを電気的に接続することに影響する。
【０００６】
そこで、前記従来の電気コネクタの欠点を改良した新型の電気コネクタを開発する必要がある。
【考案の開示】
【考案が解決しようとする課題】
【０００７】
本考案は、導電端子の高さを調節でき、且つ高周波の信号の伝送性能が改善された電気コネクタを提供することを目的とする。
【課題を解決するための手段】
【０００８】
前記目的を達成するために、本考案の電気コネクタは、絶縁本体と、該絶縁ハウジング内に装着される複数の導電端子とを含む。前記絶縁ハウジングは、第１面と、該第１面に相対した第２面と、第１面及び第２面とを貫設した複数の収容孔とを含む。前記導電端子はお互いに離れた第１部材と第２部材を備え、前記第１部材が、延伸して形成された弾性アームと回路基板に接続された第１接触アームとを備える主体部を含み、前記第２部材が、前記第１部材の弾性アームに接続できる基部とチップモジュールに接続できる第２接触アームとを含む。
【考案の効果】
【０００９】
従来の技術に比べると、本考案は以下の長所がある。導電端子の高さが所定の規格で変更できない場合、導電端子に側壁が設置されることにより、導電端子の静電容量が高められ且つインピーダンスが減少することで、高周波の信号の伝送効果が保証される。その他、お互いに離れる導電端子の第１部材及び第２部材により、可動範囲の所定の位置で導電端子の高さを調節してもいい。こうして、高周波の信号の伝送性能が保証されるとともにいろいろな高さの規格の要求に適応できる。
【考案を実施するための最良の形態】
【００１０】
図３と図４を参照すると、本考案の電気コネクタ１は、チップモジュール４と回路基板５とを電気的に接続するために用いられ、絶縁ハウジング２と該絶縁ハウジング２内に複数の導電端子３とを含んでいる。
【００１１】
前記絶縁本体２は、回路基板５と接続される第１面２０と、該第１面２０に相対し且つチップモジュール４を支持する第２面２２と、該第２面２２及び第１面２０とを貫設した複数の収容孔２４とを含んでいる。
【００１２】
前記導電端子３は、前記絶縁ハウジング２の収容孔２４内に装着され、お互いに離れられた第１部材３０と第２部材３２とを備える。
【００１３】
前記導電端子３の第１部材３０は平板状を呈する主体部３００を備え、該主体部３００には、その側縁から垂直に延伸した平板状の側壁３０２と、第１接触アーム３０６とが設けられる。前記主体部３００には、前記絶縁ハウジング２の収容孔２４の延伸した方向に、絶縁ハウジング２の第１面２０及び第２面２２にそれぞれ面した第１辺縁３０００と第２辺縁３００２とが形成される。前記第１接触アーム３０６は、前記第１辺縁３０００から主体部３００を離れる方向に向けて曲げ延伸して、主体部３００と弧状部（記号なし）を通じて連接し、該第１接触アーム３０６の末端に回路基板５の導電パッド５０に接続される弧状の第１接触部３０６０が形成される。
【００１４】
前記側壁３０２は、前記主体部３００を離れる一端に連接部３０２０が延伸して形成され、該連接部３０２０は前記側壁３０２に垂直で、且つ該連接部３０２０と主体部３００が前記側壁３０２の一側に同時に位置している。該連接部３０２０の下端に、前記主体部３００の第１辺縁３０００に向けて主体部３００を離れた弾性アーム３０４が傾け延伸される。該弾性アーム３０４の自由末端（記号なし）に、前記主体部３００に向けて曲がった弧状の押圧部３０４０が形成される。
【００１５】
前記導電端子３の第２部材３２には、前記絶縁ハウジング２の収容孔２４の延伸方向に沿って延伸した平板状の基部３２０が形成される。該基部３２０の前記第１部材３０の第１辺縁３０００を離れる一端に、前記主体部３００に面し外に向けて延伸した第２接触アーム３２２が形成され、該第２接触アーム３２２は基部３２０と弧状部（記号なし）を通じて連接し、その自由末端にチップモジュール４に設置した導電パッド４０に接続される第２接触部３２２０が形成される。
【００１６】
前記基部３２０には、前記第２接触部３２０と連接している箇所に両肩部３２００が形成され、前記基部３２０の前記第２接触部３２２０と連接している一端を離れる他端に該基部３２０の幅より小さい延伸部３２０２が延出される。該延伸部３２０２と肩部３２００が同時に前記絶縁ハウジング２の収容孔２４に係合することにより、導電端子３の第２部材３２が該収容孔２４内に固着されている。
【００１７】
図５を参照すると、前記チップモジュール４が押圧された時、前記第１接触アーム３０６及び第２接触部３２２が弾性変形を生じ、且つ前記回路基板５の導電パッド５０とチップモジュール４の導電パッド５０をそれぞれ押圧する。こうして、前記チップモジュール４と電気コネクタ１と回路基板５との間に導電ルートが形成される。
【００１８】
前記導電端子３は側壁３０２を設置することを通じて、導電端子３の静電容量が高められ且つインピーダンスが減少することで、高周波の信号の伝送性能が保証される。前記導電端子３の第１部材３０及び第２部材３２はお互いに離れて設置され、取付けた時、該第１部材３０の弾性アーム３０４は第２部材３２の基部３２０にスライダ可能に接触することで、可動範囲の所定の位置で導電端子３の高さを調節してもいい。こうして、高周波の信号の伝送性能が保証されるとともにいろいろな高さの規格の要求に適応できる。
【００１９】
図６を参照すると、本考案の電気コネクタ１の導電端子３’の第二の実施の形態の斜視図であって、該導電端子３の第１部材３０’の主体部３００’に相対して隔てられた一対の側壁３０２’が設けられ、連接部３０２０’と連接した側壁３０２’の箇所にスリット３０２２’が形成される。該スリット３０２２’が前記収容孔２４に係合することで、該第１部材３０’が前記絶縁ハウジング２内に固着される。
【００２０】
図７を参照すると、本考案の電気コネクタ１の導電端子３”の第三の実施の形態の斜視図であって、導電端子３の第１部材３０”の主体部３００”及び側壁３０２”の高さＨを調節することを通じて導電端子３の高周波の電気的な特性をわずかに調節でき、さらに、いろいろな電気的な特性の要求に適応してもいい。
【００２１】
以上本考案について最良の実施の形態を参照して詳細に説明したが、実施形態はあくまでも例示的なものであり、これらに限定されるものではない。また前記の説明は、本考案に基づきなしうる細部の修正或は変更など、いずれも本考案の請求範囲に属するものとする。
【産業上の利用可能性】
【００２２】
本考案は、電気コネクタに関し、特にチップモジュールと回路基板とを電気的に接続できる電気コネクタに関するものである。
【図面の簡単な説明】
【００２３】
【図１】従来のチップモジュール及び回路基板を接続した電気コネクタの断面図である。
【図２】従来の電気コネクタの導電端子斜視図である。
【図３】本考案の電気コネクタの第一実施例である導電端子の斜視図である。
【図４】本考案のチップモジュール及び回路基板を接続する前の電気コネクタ断面図である。
【図５】本考案のチップモジュール及び回路基板を接続した電気コネクタ断面図である。
【図６】本考案の電気コネクタの第二実施例である導電端子の斜視図である。
【図７】本考案の電気コネクタの第三実施例である導電端子の斜視図である。
【符号の説明】
【００２４】
１、６  電気コネクタ
２、６０  絶縁ハウジング
３、３’、３”、６２  導電端子
４、７  チップモジュール
５、８  回路基板
２０  第１面
２２  第２面
２４  収容孔
３０  第1部材
３２  第２部材
５０、６０、７０、８０  導電パッド
３００、３００’、 ３００”、６２０  主体部
３０２、３０２’、 ３０２”  側壁
３０４  弾性アーム
３０６  第１接触アーム
３２０  基部
３２２  第２接触アーム
６２２  第１弾性アーム
６２４  第２弾性アーム
３０００  第１辺縁
３００２  第２辺縁
３０２０、３０２０’  連接部
３０２２’  スリット
３０４０  押圧部
３０６０、６２２０  第１接触部
３２００  肩部
３２０２  延伸部
３２２０、６２４０  第２接触部
【図１】
0003108315.tif 000003
【図２】
0003108315.tif 000004
【図３】
0003108315.tif 000005
【図４】
0003108315.tif 000006
【図５】
0003108315.tif 000007
【図６】
0003108315.tif 000008
【図７】
0003108315.tif 000009